(57)【要約】【課題】加熱炉内など室温と温度差が大きい空間で受光観測機器を使用することを可能にする観測機器用断熱容器を提供する。【解決手段】内容器２１と外容器２２との間に空間Ｓ１が設けられた二重壁の構造で略凹形の容器本体２と、内蓋３１と外蓋３２との間に空間Ｓ２が設けられた二重壁の構造で略凹形の蓋体３と、受光観測機器１０の受光部１０１に対応する位置で蓋体３の天部３３の開口部３４に取り付けられた耐熱透光部材４を備え、容器本体２と蓋体３の凹側を合わせるようにして容器本体２が蓋体３で着脱自在に閉じられ、この閉じられた状態で容器本体２の側部２３の全周に亘って容器本体２の側部２３の二重壁と蓋体３の側部３９の二重壁が部分的に隣接して重なり領域Ｒ１で重ねられている観測機器用断熱容器１。【選択図】図４
2020161858.tif 000002
【特許請求の範囲】
【請求項１】
内容器と外容器との間に空間が設けられている二重壁の構造で略凹形の容器本体と、
内蓋と外蓋との間に空間が設けられている二重壁の構造で略凹形の蓋体と、
受光観測機器の受光部に対応する位置で前記蓋体の天部の開口部に取り付けられている耐熱透光部材を備え、
前記容器本体の凹側と前記蓋体の凹側を合わせるようにして前記容器本体が前記蓋体で着脱自在に閉じられ、
前記容器本体が前記蓋体で閉じられた状態で前記容器本体の側部の全周に亘って前記容器本体の側部の二重壁と前記蓋体の側部の二重壁が部分的に隣接して重ねられていることを特徴とする観測機器用断熱容器。
【請求項２】
受光観測機器の背面と周側面の外側を略覆う形状の機器収容部を有する蓄熱材が前記容器本体に内装されていることを特徴とする請求項１記載の観測機器用断熱容器。
【請求項３】
前記容器本体の側部の二重壁が、前記容器本体の二重壁と前記蓋体の二重壁が部分的に隣接して重ねられている領域よりも前記蓋体の天部側に延びて延在部が設けられ、
前記容器本体と前記蓋体が閉じられた状態が前記容器本体と前記蓋体を閉じる方向に付勢するキャッチクリップで保持されると共に、
前記延在部が前記蓋体に内装されている封止材に押圧されることを特徴とする請求項１又は２記載の観測機器用断熱容器。
【請求項４】
前記容器本体の内容器と外容器との間の空間と、前記蓋体の内蓋と外蓋との間の空間が減圧空間になっていることを特徴とする請求項１〜３の何れかに記載の観測機器用断熱容器。
【請求項５】
請求項１〜４の何れかに記載の観測機器用断熱容器に受光観測機器が内装されていることを特徴とする観測装置。
【請求項６】
前記受光観測機器が前記観測機器用断熱容器の前記蓋体に固定されていることを特徴とする請求項５記載の観測装置。
【発明の詳細な説明】
【技術分野】
【０００１】
本発明は、観測機器を収容する観測機器用断熱容器及び観測機器用断熱容器を備える観測装置に関する。
【背景技術】
【０００２】
従来、高温空間で観測機器を使用する際に観測機器を断熱容器に収容して使用することが行なわれている。例えば特許文献１には、加熱炉内で使用される温度計測装置において、観測機器の温度テレメータを囲繞するように蓄熱材が設けられ、この温度テレメータと蓄熱材が二重壁の真空容器に収容されて断熱容器とされ、断熱容器の外側に入力端子やアンテナが設けられる構造が開示されている。
【先行技術文献】
【特許文献】
【０００３】
【特許文献１】特開２００２−３０４６８９号公報
【発明の概要】
【発明が解決しようとする課題】
【０００４】
ところで、加熱炉内で電子部品を搬送する際にカメラで撮像して電子部品や炉内の状態を観測する場合のように、室温よりも非常に高温な空間でカメラのような受光観測機器を使用できるようにすることが望まれている。同様に、室温よりも非常に低温な空間でカメラのような受光観測機器を使用できるようにすることも求められている。
【０００５】
本発明は上記課題に鑑み提案するものであって、室温と温度差が大きい空間で受光観測機器を使用することを可能にする観測機器用断熱容器、及び観測機器用断熱容器を備える観測装置を提供することを目的とする。
【課題を解決するための手段】
【０００６】
本発明の観測機器用断熱容器は、内容器と外容器との間に空間が設けられている二重壁の構造で略凹形の容器本体と、内蓋と外蓋との間に空間が設けられている二重壁の構造で略凹形の蓋体と、受光観測機器の受光部に対応する位置で前記蓋体の天部の開口部に取り付けられている耐熱透光部材を備え、前記容器本体の凹側と前記蓋体の凹側を合わせるようにして前記容器本体が前記蓋体で着脱自在に閉じられ、前記容器本体が前記蓋体で閉じられた状態で前記容器本体の側部の全周に亘って前記容器本体の側部の二重壁と前記蓋体の側部の二重壁が部分的に隣接して重ねられていることを特徴とする。
これによれば、受光観測機器の受光部に対応する位置の耐熱透光部材で受光観測機器の受光を行うことができると共に、容器本体と蓋体の二重壁の構造で断熱することができることから、高温空間や低温空間など室温と温度差が大きい空間で受光観測機器を使用することが可能となる。また、耐熱透光部材が蓋体の開口部に取り付けられる構成であることから、劣化したり、透光性が低下した場合等に耐熱透光部材を容易に取り換えることが可能であり、メンテナンス性に優れる。また、受光観測機器には、市販のカメラなど多様な受光観測機器を使用することが可能であり、汎用性に優れる。また、容器本体の二重壁と蓋体の二重壁を部分的に隣接して重ねて容器本体に蓋体を閉じる構成により、断熱性が弱くなりやすい容器本体と蓋体の境目周辺の断熱性を高めることができる。また、冷却水が流れる冷却用の外部の配管等を受光観測機器に配設することも不要であり、観測機器用断熱容器で構成される観測装置を小型化することができる。
【０００７】
本発明の観測機器用断熱容器は、受光観測機器の背面と周側面の外側を略覆う形状の機器収容部を有する蓄熱材が前記容器本体に内装されていることを特徴とする。
これによれば、受光観測機器と外部との伝熱を蓄熱材で一層抑制し、断熱性をより高めることができ、受光観測機器の正常動作をより確実に図ることができる。
【０００８】
本発明の観測機器用断熱容器は、前記容器本体の側部の二重壁が、前記容器本体の二重壁と前記蓋体の二重壁が部分的に隣接して重ねられている領域よりも前記蓋体の天部側に延びて延在部が設けられ、前記容器本体と前記蓋体が閉じられた状態が前記容器本体と前記蓋体を閉じる方向に付勢するキャッチクリップで保持されると共に、前記延在部が前記蓋体に内装されている封止材に押圧されることを特徴とする。
これによれば、容器本体の側部の二重壁を蓋体の天部側に延ばすことにより、受光観測機器と外部との伝熱を一層抑制し、断熱性をより高めることができ、受光観測機器の正常動作をより確実に図ることができる。特に、正面側に受光部を有する受光観測機器の背面と周側面の外側が蓄熱材で略覆われ、正面側に蓄熱材が設けられない場合に、容器本体の側部の二重壁を蓋体の天部側に延ばす構成により、受光観測機器の正面側における伝熱を抑制して、全方向にバランスの良い断熱性を発揮させることができる。また、容器本体と蓋体が閉じられた状態をキャッチクリップで保持することにより、容器本体と蓋体の開閉動作を簡単な動作で行うことができると共に、容器本体と蓋体の閉状態を安定して維持することができる。また、キャッチクリップの容器本体と蓋体を閉じる方向への付勢を有効活用して、延在部と封止材の押圧で容器内部と外部の気密性、断熱性をより一層確実に確保することができる。
【０００９】
本発明の観測機器用断熱容器は、前記容器本体の内容器と外容器との間の空間と、前記蓋体の内蓋と外蓋との間の空間が減圧空間になっていることを特徴とする。
これによれば、観測機器用断熱容器の断熱性をより一層高めることができる。
【００１０】
本発明の観測装置は、本発明の観測機器用断熱容器に受光観測機器が内装されていることを特徴とする。
これによれば、本発明の観測機器用断熱容器の効果を奏する観測装置を得ることができる。
【００１１】
本発明の観測装置は、前記受光観測機器が前記観測機器用断熱容器の前記蓋体に固定されていることを特徴とする。
これによれば、受光観測機器の受光部に対応する位置に設けられる耐熱透光部材と、受光観測機器の受光部との位置関係を正しい位置に安定して配置することができ、例えばキャッチクリップ式、ねじ込み式など、容器本体と蓋体が閉じられた状態を保持する構造等に拘わらずに、受光観測機器の画角等の受光方向を安定して確保することができる。
【発明の効果】
【００１２】
本発明によれば、高温空間や低温空間など室温と温度差が大きい空間で受光観測機器を使用することができる。
【図面の簡単な説明】
【００１３】
【図１】本発明による実施形態の観測機器用断熱容器を備える観測装置の平面図。
【図２】実施形態の観測機器用断熱容器を備える観測装置の側面図。
【図３】実施形態の観測機器用断熱容器を備える観測装置の断面説明図。
【図４】実施形態の観測機器用断熱容器を備える観測装置の部分断面説明図。
【発明を実施するための形態】
【００１４】
〔実施形態の観測機器用断熱容器を備える観測装置〕
本発明による実施形態の観測機器用断熱容器１は、図１〜図４に示すように、内容器２１と外容器２２との間に空間Ｓ１が設けられている二重壁の構造で略凹形の容器本体２と、内蓋３１と外蓋３２との間に空間Ｓ２が設けられている二重壁の構造で略凹形の蓋体３を備え、容器本体２の凹側と蓋体３の凹側を合わせるようにして蓋体３を容器本体２に外挿し、容器本体２が蓋体３で着脱自在に閉じられるようになっている。
【００１５】
容器本体２の内容器２１と外容器２２はそれぞれ略有底筒形であり、内容器２１の上端縁２１１と外容器２２の上端縁２２１が重ねられ溶接等で接合されて二重壁の構造が形成されている。内容器２１と外容器２２との間の空間Ｓ１は本実施形態では大気圧よりも減圧された減圧空間として断熱性を一層高めているが、大気圧の空間とすることも可能であり、又、空間Ｓ１には断熱材を充填することも可能である。
【００１６】
蓋体３の内蓋３１と外蓋３２もそれぞれ略有底筒形であり、ここで言う底側は蓋体３の天部３３側になっている。内蓋３１の下端縁３１１と外容器３２の下端縁３２１が重ねられ溶接等で接合されていると共に、内蓋３１の開口縁３１２と外容器３２の開口縁３２２が重ねられ溶接等で接合されて、蓋体３の二重壁の構造が形成されている。内蓋３１と外蓋３２との間の空間Ｓ２は本実施形態では大気圧よりも減圧された減圧空間として断熱性を一層高めているが、大気圧の空間とすることも可能であり、又、空間Ｓ２には断熱材を充填することも可能である。
【００１７】
蓋体３の天部３３の開口部３４には、耐熱透光ガラス又は耐熱透光樹脂等の耐熱透光部材４が着脱可能に取り付けられている。本実施形態では、開口部３４で重なり合う開口縁３２２と開口縁３１２が開口３５の中央方向に突出するように設けられ、その開口縁３１２の内側に耐熱性で枠状の封止材３６が設けられ、封止材３６に当接するようにしてパネル状の耐熱透光部材４が設けられている。この耐熱透光部材４は、蓋体３にボルト締め等で取り付けられている支持ブラケット３７１で枠材３７２を介して支持され、封止材３６を押圧して付勢する状態で支持されている。
【００１８】
耐熱透光部材４は、後述する観測機器用断熱容器１に内装される受光観測機器１０の受光部１０１に対応する位置に配設され、観測機器用断熱容器１の外部から受光部１０１への受光が耐熱透光部材４を介して行われるようになっている。尚、受光観測機器１０が外部に光出射を行う構成である場合には、耐熱透光部材４を介して観測機器用断熱容器１から外部への光出射、送光が行なわれる。また、蓋体３には、受光観測機器１０を固定して保持する保持部材３８が設けられている。
【００１９】
容器本体２には、潜熱蓄熱材の蓄熱材５が内装され、容器本体２の所定位置に固定されている。蓄熱材５は受光観測機器１０の背面と周側面の外側を略覆う形状の機器収容部５１を有し、図示例の機器収容部５１は蓄熱材５の正面側に設けられた凹部になっている。受光観測機器１０は、受光部１０１を正面側にして蓄熱材５の機器収容部５１に収容される。
【００２０】
観測機器用断熱容器１に内装されて観測機器用断熱容器１と共に観測装置を構成する受光観測機器１０は、光を受光して観測可能な機器であれば適宜であり、例えば図示例の受光レンズを有するカメラとすると好適であり、又、レーザー光の出射と受光を行って計測する計測機器としても好適である。蓋体３に受光部１０１以外の部分で保持部材３８によって固定されている受光観測機器１０は、後述するキャッチクリップ６の蓋体３と容器本体２を閉じる方向への付勢により、蓄熱材５の機器収容部５１の奥側に押圧されるようにして定置される。
【００２１】
容器本体２が蓋体３で閉じられた状態では、容器本体２の側部２３の全周に亘って容器本体２の側部２３の二重壁と蓋体３の側部３９の二重壁が部分的に隣接して重ねられるように設けられる。図示例では、重なり領域Ｒ１における容器本体２の外容器２２の外周面と蓋体３の内蓋３１の内周面が略同一径で形成され、容器本体２の内容器２１と外容器２２で構成される二重壁と、蓋体３の内蓋３１と外蓋３２で構成される二重壁とが、重なり領域Ｒ１で部分的に隣接して重ねられている。
【００２２】
容器本体２と蓋体３が閉じられた状態は、蓋体３と容器本体２を閉じる方向に付勢するキャッチクリップ６で保持される。本実施形態におけるキャッチクリップ６は、蓋体３と容器本体２を閉じる方向にバネ付勢するコイルバネ６２を有するクリップ本体６１と、一対など複数のクリップ本体６１を連結し、容器本体２の底部２４の外周に回り込むように設けられる帯状の連結部６３と、蓋体３に固定され、クリップ本体６１が引っ掛けられるフック部６４から構成され、キャッチクリップ６による固定は着脱自在になっている。
【００２３】
更に、容器本体２の側部２３の二重壁には、容器本体２の二重壁と蓋体３の二重壁が部分的に隣接して重ねられている重なり領域Ｒ１よりも蓋体３の天部３３側に延びている延在部２５が設けられている。本実施形態における延在部２５は、内装された受光観測機器１０の正面よりも蓋体３の天部３３側に延びるようにして設けられている。また、蓋体３の側部３９から天部３３に屈曲する隅部の内側には、リング状のゴム性パッキン等の封止材７が内装して固着されており、封止材７に延在部２５の先端縁を押圧することにより、観測機器用断熱容器１の内部と外部の気密性をより確実にしている。
【００２４】
本実施形態によれば、受光観測機器１０の受光部１０１に対応する位置の耐熱透光部材４で受光観測機器１０の受光を行うことができると共に、容器本体２と蓋体３の二重壁の構造で断熱することができることから、高温空間や低温空間など室温と温度差が大きい空間で受光観測機器１０を使用することが可能となる。また、耐熱透光部材４が蓋体３の開口部３４に取り付けられる構成であることから、劣化したり、透光性が低下した場合等に耐熱透光部材４を容易に取り換えることが可能であり、メンテナンス性に優れる。また、受光観測機器１０には、市販のカメラなど多様な受光観測機器１０を使用することが可能であり、汎用性に優れる。また、容器本体２の二重壁と蓋体３の二重壁を部分的に隣接して重ねて容器本体２に蓋体３を閉じる構成により、断熱性が弱くなりやすい容器本体２と蓋体３の境目周辺の断熱性を高めることができる。また、冷却水が流れる冷却用の外部の配管等を受光観測機器１０に配設することも不要であり、観測機器用断熱容器１で構成される観測装置を小型化することができる。
【００２５】
また、受光観測機器１０の背面と周側面の外側を略覆う形状の機器収容部５１を有する蓄熱材５を容器本体２に内装することにより、受光観測機器１０と外部との伝熱を蓄熱材５で一層抑制し、断熱性をより高めることができ、受光観測機器１０の正常動作をより確実に図ることができる。
【００２６】
また、容器本体２の側部２３の二重壁を蓋体３の天部３３側に延ばす延在部２５によっても、受光観測機器１０と外部との伝熱を一層抑制し、断熱性をより高めることができ、受光観測機器１０の正常動作をより確実に図ることができる。特に、正面側に受光部１０１を有する受光観測機器１０の背面と周側面の外側が蓄熱材５で略覆われ、正面側に蓄熱材が設けられない場合に、延在部２５により、受光観測機器１０の正面側における伝熱を抑制して、全方向にバランスの良い断熱性を発揮させることができる。
【００２７】
また、容器本体２と蓋体３が閉じられた状態をキャッチクリップ６で保持することにより、容器本体２と蓋体３の開閉動作を簡単な動作で行うことができると共に、容器本体２と蓋体３の閉状態を安定して維持することができる。また、キャッチクリップ６の容器本体２と蓋体３を閉じる方向への付勢を有効活用して、延在部２５と封止材７の押圧で容器内部と外部の気密性、断熱性をより一層確実に確保することができる。
【００２８】
また、受光観測機器１０が観測機器用断熱容器１の蓋体３に固定することにより、受光観測機器１０の受光部１０１に対応する位置に設けられる耐熱透光部材４と、受光観測機器１０の受光部１０１との位置関係を正しい位置に安定して配置することができ、例えばキャッチクリップ式、ねじ込み式など、容器本体２と蓋体３が閉じられた状態を保持する保持構造等に拘わらずに、受光観測機器１０の画角等の受光方向を安定して確保することができる。
【００２９】
〔本明細書開示発明の包含範囲〕
本明細書開示の発明は、発明として列記した各発明、実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００３０】
例えば上記実施形態では、観測機器用断熱容器１に蓄熱材５を内装する構成としたが、本発明の観測機器用断熱容器、観測装置には、蓄熱材を内装せずに受光観測機器を観測機器用断熱容器に内装するものも含まれる。
【００３１】
また、本発明の観測機器用断熱容器、観測装置には、容器本体の側部の二重壁が重なり領域Ｒ１まで設けられ、延在部２５に相当する二重壁を有しないものも含まれる。また、上記実施形態では、容器本体２と蓋体３の閉状態をキャッチクリップ６で保持する構成としたが、容器本体２と蓋体３の閉状態を保持する構成は適用可能な範囲で適宜であり、例えば容器本体２と蓋体３の重なり領域Ｒ１に相当する領域にねじ部を形成して容器本体２と蓋体３を螺着するねじ込み式の構成等とすることも可能である。また、上記実施形態では、蓋体３の側部３９を容器本体２の側部２３に外挿する構成としたが、本発明には、容器本体の側部を蓋体の側部に外挿する構成も含まれる。
【００３２】
また、上記実施形態では、蓋体３と容器本体２の挿入量を規制する規制部がなく、キャッチクリップ６のクリップ本体６１が伸縮可能でコイルバネ６２の収縮でクリップ本体６１が収縮し、蓋体３が容器本体２を閉じる方向に適正量で引っ張られて閉じられる構成であり、機器収容部５１の奥行を変更して正面から背面への厚さの異なる受光観測機器１０を観測機器用断熱容器１に内装して使用可能になっているが、本発明には、容器本体２の側部２３の先端又は蓋体３の側部３９の先端を所定位置で規制可能な規制部を蓋体３の側部３９又は容器本体２の側部２３に設ける構成も含まれる。
【産業上の利用可能性】
【００３３】
本発明は、例えば加熱炉内のような高温空間で観測機器を使用する際に利用することができる。
【符号の説明】
【００３４】
１…観測機器用断熱容器  ２…容器本体  ２１…内容器  ２１１…上端縁  ２２…外容器  ２２１…上端縁  ２３…側部  ２４…底部  ２５…延在部  ３…蓋体  ３１…内蓋  ３１１…下端縁  ３１２…開口縁  ３２…外蓋  ３２１…下端縁  ３２２…開口縁  ３３…天部  ３４…開口部  ３５…開口  ３６…封止材  ３７１…支持ブラケット  ３７２…枠材  ３８…保持部材  ３９…側部  ４…耐熱透光部材  ５…蓄熱材  ５１…機器収容部  ６…キャッチクリップ  ６１…クリップ本体  ６２…コイルバネ  ６３…連結部  ６４…フック部  ７…封止材  １０…受光観測機器  １０１…受光部  Ｓ１、Ｓ２…空間  Ｒ１…重なり領域
【図１】
2020161858.tif 000003
【図２】
2020161858.tif 000004
【図３】
2020161858.tif 000005
【図４】
2020161858.tif 000006